(57)【要約】【課題】本発明は、把手を起き上がった状態と垂れ下がった状態とに選択でき、把手を起き上がった状態に極めて容易に、且つ確実に維持し得る釣り用バケツの提供を目的とします。【解決手段】本発明の釣り用バケツは、バケツ本体１の対向する側壁２、２’に該バケツ本体の上方と側方とに回動可能に略Ｕ字状の把手２０の両端を取付けた釣り用バケツの改良に係り、前記バケツ本体の側壁と前記把手の両端との何れか一方に形成された軸部２３を他方に形成された案内長孔１１に挿入することによって前記把手を前記バケツ本体の上方回動状態にて前記バケツ本体に対して上昇・下降自在に設けると共に、前記把手の上方回動状態での前記把手の案内孔内下降時に前記把手を係止する係止手段１３を前記バケツ本体側と下降状態における前記把手との対峙位置に設けたものです。【選択図】        図３
2004283046.tif 000002
【特許請求の範囲】
【請求項１】
上面が開口したバケツ本体（１）  と、該バケツ本体の対向する側壁（２、２’）の上部外側面に  該バケツ本体の上方と側方とに回動できるように略Ｕ字状の把手（２０）の両端を取付けてなる釣り用バケツにおいて、前記バケツ本体の側壁の上部外側面と前記把手の両端との何れか一方に形成された軸部（２３）を他方に形成された案内長孔（１１）に挿入することによって前記把手を前記バケツ本体の上方回動状態にて前記バケツ本体の側壁の外面に対して上昇・下降自在に設けると共に、前記バケツ本体側と前記把手の両端との近傍の前記把手の下降状態における対峙位置に前記把手の下降時に前記把手を係止し、前記把手の上昇により前記係止を解除する係止手段（１３）を設けてなることを特徴とする釣り用バケツ。
【発明の詳細な説明】
【０００１】
【発明が属する技術分野】
本願発明は、把手付きの釣り用バケツに関するもので、例えば、魚釣りに際して餌等を収納せしめるための釣り餌用バケツに適したものです。
【０００２】
【従来の技術】
この種の釣り用バケツとしては、一般には、実公昭６１−２４０６７号公報に記載されているようにバケツ本体側壁上部に設けた一対の孔に略Ｕ字状の把手の両端を差しこんで固定したものが知られています。
【０００３】
しかし、このような構成では、把手から手を離すと把手がバケツ本体の上方に起き上がったままの状態であるかバケツ本体の側方に垂れ下がった状態の何れかしかならず、釣り用バケツを岩場等の傾斜面に置いた場合は起立状態を維持させることが困難なものでした。
【０００４】
即ち、釣人は、釣果を上げるために頻繁に釣場を移動しますが、移動後に釣り用バケツを釣場に置いたときに把手がバケツ本体の上方に起立したままですと餌等の投入の邪魔になりますし、移動時に把手がバケツ本体の側方に垂れ下がっておりますと、竿やクーラ等を身につけた状態でバケツ本体の底部近傍に垂れ下がった把手を起こしたうえで釣り用バケツを提げなければならないので、迅速な移動ができないのみならず、釣人に必要以上の負担をかける問題がありました。
【０００５】
この解決策として、実用新案登録第２５５２９３４号（実開平６−７２３７７号）公報には、バケツ本体の側壁上部に該側壁に沿って水平に設けた軸部をＵ字状の把手の両端に形成した環状部に挿入して回動可能とし、把手の環状部を軸に対して上下動可能に長く形成することによって、把手の環状部を軸に対して押下げると環状部の上端部側で軸部を挟持すると共に環状部の下端側面がバケツ本体の側壁外面に当接して把手が起き上がった状態に２点支持して位置保持され、把手の環状部を軸に対して引き上げると把手が外側に回動し得るようにして、把手をバケツ本体の上方に起き上がった状態とバケツ本体の側方に垂れ下がった状態とに選択できる釣用バケツが提案されております。
【０００６】
しかし、この釣り用バケツは、折畳み可能なように軟質部材にて形成したバケツ本体の側壁外面に把手の環状部の下端を当接させることによって把手が起き上がった状態に位置保持するものであり、しかも、把手を側壁に当接保持する環状部の下端が円弧状であるため、バケツ本体の変形や折畳状態への復帰、或いはバケツ本体の傾斜した岩場等への載置時に起き上がった状態に維持できない問題があるばかりか、把手を起き上がった状態に位置保持する都度に把手の環状部を軸部に対して押下げる作業を釣人に強いる問題があります。
【０００７】
他の解決策として、特開平１１−１９６７４２号公報には、バケツ本体の側壁上部に可撓性を有する帯状部材を折り返して重ね合わせた端部の内面を固着して環状部を形成し、該環状部に前記把手の端部に形成した軸部を挿着することによって把手をバケツ本体の上方に起き上がった状態とバケツ本体の側方に垂れ下がった状態とに選択できる釣用バケツが提案されております。
【０００８】
しかし、この釣用バケツは、把手を上方に持ち上げた後にそのまま下方側に下げることにより、軸部を環状部の帯状部材の下端部側に移動して、軸部を下端部側で挟持すると共に取付部を環状部上端の湾曲部に当接させることによって起き上がった状態に２点支持するものであるため、取付部と環状部上端の湾曲部との当接力の問題から起き上がった状態に維持できない問題があるのみならず、使用による帯状部材の劣化に起因しての挟持力の維持にも問題があり、把手を起き上がった状態に位置保持する都度に把手の軸部を環状部に対して押下げる作業を釣人に強いる問題があります。
【０００９】
更に他の解決手段として、特開平１１−２０６３００号公報には、前記バケツ本体の側壁にこの側壁に沿って貫通させた外側方向に長い案内孔を有する支持部材を形成し、該案内孔に外側方向に移動自在に把手の両端に形成した軸部を挿入すことによって把手をバケツ本体の上方に起き上がった状態とバケツ本体の側方に垂れ下がった状態とに選択できる釣用バケツが提案されております。
【００１０】
しかし、このバケツは、把手を起き上がった状態にすることによって軸部を案内孔の外側方向に移動させ、把手の重心位置を内側に変更することによって起き上がった状態を維持可能とするものであるため、バケツ本体の前述の変形や折畳状態への復帰、或いはバケツ本体の傾斜した岩場等への載置時に軸部が案内孔の内側方向に移動して起立状態が維持できなくなるという問題があるばかりか、把手を起き上がった状態に位置保持する都度に把手の軸部を案内孔の外側に移動する作業を釣人に強いる問題があります。
【００１１】
【発明が解決しようとする課題】
本願発明は、このような問題を解決すべくなされたものであり、本願発明の第一の課題は、所望に応じて把手を起き上がった状態と垂れ下がった状態とに選択できる釣り用バケツを提供することにあり、本願発明の第二の課題は、把手を起き上がった状態に特段の作業を釣人に強いることなく極めて容易に維持できる釣り用バケツを提供することにあり、本願発明の第三の課題は、バケツ本体の前述の変形や折畳状態への復帰、或いはバケツ本体の傾斜した岩場等への載置時等においても把手を起き上がった状態に確実に維持可能な釣り用バケツを提供することにあります。
【００１２】
【課題を解決するための手段】
本願発明に係る釣り用バケツは、上面が開口したバケツ本体（１）  と、該バケツ本体の対向する側壁（２、２’）の上部外側面に  該バケツ本体の上方と側方とに回動できるように略Ｕ字状の把手（２０）の両端を取付けてなる釣り用バケツにおいて、前記バケツ本体の側壁の上部外側面と前記把手の両端との何れか一方に形成された軸部（２３）を他方に形成された案内長孔（１１）に挿入することによって前記把手を前記バケツ本体の上方回動状態にて前記バケツ本体の側壁の外面に対して上昇・下降自在に設けると共に、前記バケツ本体側と前記把手の両端との近傍の前記把手の下降状態における対峙位置に前記把手の下降時に前記把手を係止し、前記把手の上昇により前記係止を解除する係止手段（１３）を設けてなるものです。
【００１３】
【実施の形態】
以下、本発明の一実施形態について図１乃至図４にて説明しますが、図１は本発明の一実施形態に係る釣り用バケツの概要正面図、図２は、図１のＡ−Ａ断面図、図３は、図２における他の作動状態図、図４は、図１のＢ−Ｂ断面図を夫々示すものです。
【００１４】
図１において、１は上面が開口し正面側壁２  、この影にある背面側壁２’、左右側側壁３，４、及び底壁５により有底方形状に形成されたバケツ本体で、該バケツ本体１には、図示しないが上面の開口に開閉可能な蓋体を設けても良いものです。
【００１５】
該バケツ本体１の各側壁２・・・及び底壁５は、可撓性及び非浸水性を有するＥＶＡ等の合成樹脂シートを溶着或いは縫製等して形成され、一般には、非使用時における収納・携帯が容易なように上下方向中間部にて折畳可能に形成され、内容物を入れることによって自立するように設けられています。
【００１６】
また、該バケツ本体１の対向する正面側壁２及び背面側壁２’の上部外側面には、後述する略Ｕ字状の把手２０を取付けるための取付具１０が夫々固着されています。
【００１７】
該取付具１０は、合成樹脂にて形成され、この両側には、図１及び図２、図３に示すように側壁２，２’の外面に沿って水平方向に貫通させた上下方向に長い案内長孔１１を有する支持部材１２が一体的に夫々形成され、該案内長孔１１には、前記略Ｕ字状の把手２０の両端に形成した軸部２３が上昇・下降自在に挿入され、該軸部２３は、バケツ本体に対する把手２０の上昇・下降に伴って上昇・下降するように構成されています。
【００１８】
把手２０は、断面略三角形状で頂部にアールを持たせた棒状の把持部２１の両端から全体として略Ｕ字状になるように把手本体２２，２２を湾曲させて延設し、該把手本体２２の各端部は、幅広として二股状部２４，２４に形成されて構成され、前記軸部２３は、該二股状部２４，２４両端間を連結するように一体的に断面円形の棒状体に形成されています。
【００１９】
前記取付け具１０に形成された支持部材１２の上部には、取付け具１０から一体的に外方に立設され、先端を上方に向けて湾曲させた係止手段１３の一方であるフック１３ａが夫々に形成され、該フック１３ａは、前記把手２０が上方に回動されて立ち上げた状態で前記案内長孔１１を下降時に係止手段の他方である前記二股状部２４の基部１３ｂと係止するように設けられています。即ち、係止手段１３を形成するフック１３ａと二股状部の基部１３ｂとは、前記把手２０が上方に回動されて立ち上げた状態で前記案内長孔１１を下降時に係止するように前記把手２０の下降状態における対峙位置に設けています。
【００２０】
本実施形態における釣り用バケツは、以上のように構成していますので、把手２０の把持部２１を持っての釣り場の移動時には、図１及び図２に示すように把手２０の軸部２３は支持部１２の案内長孔１１の上部に上昇してバケツ本体１の上方或いは側方に回動自在な状態にあります。
【００２１】
従って、新たな釣り場に移動して釣りを開始する場合は、この状態で把手２０の把持部２１をバケツ本体１の側方に押すと、把手２０は、この軸部２３を回転中心として案内長孔１１の上部にて回動し、図２中に一点鎖線にて示すように把手２０がバケツ本体１の側方に垂れ下がった状態にすることができ、把手２０が邪魔になること無しに釣りを楽しむことができます。
【００２２】
この状態で釣りをした後に、再度釣り場を移動したい場合は、バケツ本体１の側方に垂れ下がった把手２０の把持部２１をバケツ本体１の上方に回動すると、把手２０は、この軸部２３を回転中心として案内長孔１１の上部にて回動し、図２中に実線にて示すように把手２０がバケツ本体１の上方に起き上がった状態にすることができ、この状態で把持部２１から手を離すと、把手２０の自重にて軸部２３は案内長孔１１の下部に下降し、この案内長孔１１内の軸部２３の下降に伴って下降する把手２０の二股状部の基部１３ｂがフック１３ａに係止されて図３に示すように把手２０を起き上がった状態に係止してこの状態に保持することができ、竿やクーラー等を身に装着した釣人は、バケツ本体１の上方に起き上がった状態に保持された把手２０の把持部２１を楽に把持しての移動を可能にします。
【００２３】
そして、把手２０は、フック１３ａと二股状部の基部１３ｂとからなる係止手段１３の係止と案内長孔１１内を下降した軸部２３とによって２点支持されますので、バケツ本体１が変形したり、折畳状態に復帰したり、或いはバケツ本体１を傾斜した岩場等に載置時等においても把手２０を起き上がった状態に確実に維持できます。
【００２４】
また、図２の状態で釣人が把手２０の把持部２１を把持しての釣り用バケツの携行に伴って、把手２０は図１及び図２に実線で示す状態に復帰し、当初に説明の新たな釣り場に移動して釣りを開始する状態に迅速に移行できます。
【００２５】
本実施形態においては、係止手段１３の他方である二股状部の基部１３ｂを傾斜面としていますが、このように係止するフック１３ａと二股状部の基部１３ｂとの何れか一方または両方の滑動面を傾斜面に形成することによって両者の係止動作を更に円滑且つ確実なものにすることができます。
【００２６】
また、本実施形態の図中に示す１３ｃは、係止状態にある係止手段１３のフック１３ａの先端が当接する二股部の基部１３ｂに穿設した係止穴で、該穴１３ｃを設けることによって係止状態をより確実に強めることができます。
【００２７】
また、本実施形態における前記取付具１０には、図１及び図４に示すように前記支持部材１２，１２間を一体的に帯状に外方に突出させて柄杓を保持部３０が形成されていると共に、該保持部の下方には一体的に外方に立設され、先端を上方に向けて湾曲させたごみ袋係止用の一対のフック４０，４０が形成されています。
【００２８】
本発明の他の実施形態に係る係止手段について図５乃至図６にて説明しますと、図５は、本発明の一実施形態に係る図２に対応する断面図、図６は、図５における他の作動状態図を夫々示すものです。
【００２９】
本実施形態におけるバケツ本体１は、前述の実施形態と同様のものであり、この対向する正面側壁２及び背面側壁２’の上部外側面に固着する取付具１０には、前述の実施形態と同様に案内長孔１１を有する一対の支持部材１２，１２が形成されています。
【００３０】
そして、該案内長孔１１には、前述の実施形態と同様に略Ｕ字状に形成した把手２０の両端の二股状部２４，２４を介して形成した軸部２３が上昇・下降自在に挿入され、該軸部２３は、バケツ本体に対する把手２０の上昇・下降に伴って上昇・下降するように構成されています。
【００３１】
そして、本実施形態における係止手段１３は、図５及び図６に示すように把手２０の下降に伴って把手２０の内面に形成したフック１３ａとバケツ本体１の上縁１３ｂとを係止・係止解除可能に形成しています。
【００３２】
即ち、把手２０の把手本体２２の各端部の幅広部の内面には、把手本体２２から一体的に内方に立設され、先端を下方に向けて湾曲させたフック１３ａが夫々に形成され、該フック１３ａは、前記把手２０が上方に回動されて立ち上げた状態で前記案内長孔１１内を下降時に係止手段の他方である前記バケツ本体１の上縁１３ｂと係止するように設けられています。即ち、係止手段１３を形成するフック１３ａは、前記把手２０が上方に回動されて立ち上げた状態で前記案内長孔１１内を下降時に係止するように前記把手２０の下降状態におけるバケツ本体１の上縁１３ｂとの対峙位置に設けています。
【００３３】
本実施形態における釣り用バケツは、以上のように構成していますので、前述の一実施形態と同様の作動にて同様の効果を奏することができます。
【００３４】
本発明の更に他の第３実施形態に係る係止手段について図７乃至図８にて説明しますと、図７は、本発明の第３実施形態に係る係止手段の正面一部断面図、図８は、図７におけるＣ−Ｃ断面図を夫々示すものです。
【００３５】
本実施形態におけるバケツ本体１は、前述の実施形態と同様のものであり、この対向する正面側壁２及び背面側壁２’の上部外側面に固着する取付具１０には、前述の実施形態と同様に案内長孔１１を有する一対の支持部材１２，１２が形成され、該案内長孔１１には、前述の実施形態と同様に略Ｕ字状に形成した把手２０の両端の二股状部２４，２４を介して形成した軸部２３が上昇・下降自在に挿入され、該軸部２３は、バケツ本体に対する把手２０の上昇・下降に伴って上昇・下降するように構成されています。
【００３６】
そして、本実施形態における係止手段１３は、前述の実施形態におけるフックとは相違して図７及び図８に示すように支持部材１２の前面下部を左方向に延設することによって係止壁１３ａを形成し、
該係止壁１３ａの内面にて立ち上げた状態で下降してくる把手２０の二股状部２４の下部を係止可能に構成しています。
【００３７】
また、係止壁１３ａは、支持部材１２の前面下部にしか延設しておりませんので、把手２０を上昇させますと図８に１点鎖線で示すように軸部２３を支点として把手２０を側方に回動させて、側方に垂れ下げることもできます。
【００３８】
本実施形態における釣り用バケツも、以上のように構成していますので、前述の一実施形態と同様の作動にて同様の効果を奏することができます。
【００３９】
本実施形態においては、係止壁１３ａを支持部材１２の前面下部のみを左方向に延設するようにしましたが、右方向のみ、或いは左右の両方向に設けるようにしても良く、更に、把手両端に取付ける支持部材１２の内側、或いは外側に統一して設けるようにしても良いものです。
【００４０】
前述の実施形態においては、係止手段１３としてフック、或いは係止壁によるものを例示しましたが、本発明における係止手段は、一方部材に対して摺動する他方部材を係止保持するものであれば如何なるものでも容易に置換し得、この取付位置も、バケツ本体側と前記把手の両端との近傍の前記把手の下降状態における対峙位置であれば如何なる位置でも良いものです。
【００４１】
また、前述の実施形態においては、支持部材１２，１２を該取付具１０の両側に一体的に形成するようにしましたが、別体に成形し、容器本体１の側壁２，２’に直接固着するようにしても良いものです。
【００４２】
更にまた、前述の実施形態においては、バケツ本体１に対する把手２０の上昇・下降をバケツ本体１側に上下方向に長く形成した案内長孔１１に把手２０に設けた軸２３を摺動自在に挿入することにより行うようにしましたが、本発明は、図示は省略しますが、本明細書に従来技術とした記載の実用新案登録第２５５２９３４号公報のものと同様に、バケツ本体の側壁上部に軸部を設け、該軸部を把手の両端に形成した案内長孔１１に摺動可能に形成する等、その他公知の摺動機構によって行うようにしても良いもので、本発明は、当該機構に前述のような係止手段１３を設けることを要旨とするものです。
【００４３】
【発明の効果】
以上の如く本発明に係る釣用バケツは、所望に応じて把手を起き上がった状態と垂れ下がった状態とに選択することができ、把手を起き上がった状態に特段の作業を釣人に強いることなく極めて容易に維持でき、バケツ本体の変形や折畳状態への復帰、或いはバケツ本体の傾斜した岩場等への載置時等においても把手を起き上がった状態に確実に維持することができます。
【図面の簡単な説明】
【図１】本発明の一実施形態に係る釣り用バケツの概要正面図。
【図２】図１のＡ−Ａ断面図。
【図３】図２における他の作動状態図。
【図４】図１のＢ−Ｂ断面図。
【図５】本発明の他の実施形態で一実施形態に係る図２に対応する断面図。
【図６】図５における他の作動状態図。
【図７】本発明の第３実施形態に係る係止手段の正面一部断面図。
【図８】図７におけるＣ−Ｃ断面図。
【符号の説明】
１                      バケツ本体
２，２’，３，４        側壁
１１                    案内長孔
１２                    支持部材
１３                    係止手段
２０                    把手
２３                    軸部
【図１】
2004283046.tif 000003
【図２】
2004283046.tif 000004
【図３】
2004283046.tif 000005
【図４】
2004283046.tif 000006
【図５】
2004283046.tif 000007
【図６】
2004283046.tif 000008
【図７】
2004283046.tif 000009
【図８】
2004283046.tif 000010